(57)【要約】【課題】外観に変化を持たせながら安価に製造できる縦格子材を提供する。【解決手段】上下の端部材１と上下の端部材１間の中間部材２とで構成する。端部材１を複数に分岐した形状にして分岐部の先端に差し込み接続部３を設ける。中間部材２を複数本の真っ直ぐなパイプ材２ａとして上下の端部材１間に配置すると共に上下の端部材１の各差し込み接続部２をパイプ材２ａに差し込み接続する。【選択図】        図１
2004324363.tif 000002
【特許請求の範囲】
【請求項１】
上下の端部材と上下の端部材間の中間部材とで構成し、端部材を複数に分岐した形状にして分岐部の先端に差し込み接続部を設け、中間部材を複数本の真っ直ぐなパイプ材として上下の端部材間に配置すると共に上下の端部材の各差し込み接続部をパイプ材に差し込み接続して成ることを特徴とする縦格子材。
【請求項２】
端部材を音叉状に形成して二股状に分岐した差し込み接続部を設け、中間部材を真っ直ぐな２本のパイプ材として成ることを特徴とする請求項１記載の縦格子材。
【発明の詳細な説明】
【０００１】
【発明の属する技術分野】
本発明は、ベランダの手摺り壁、屋外階段の手摺り壁、フェンス等で上下の横枠間に縦方向に架設して取り付けられる縦格子材の構造に関するものである。
【０００２】
【従来の技術】
一般に手摺り壁やフェンスは上下の横枠と左右の縦枠とで矩形状の枠体を形成し、上下の横枠間に真っ直ぐなパイプ材からなる縦格子材を架設して形成されている（例えば、特許文献１参照）。
【０００３】
【特許文献１】
実開平２−４７３２８号公報
【０００４】
【発明が解決しようとする課題】
ところで、上記のような手摺り壁やフェンスの横枠、縦枠及び縦格子材はアルミニウムのような金属にて形成されるものであり、縦格子材全体が真っ直ぐなパイプ材で形成されていると、押し出し成形で量産できて安価に提供できるのであるが、長手方向に亙って同一の断面形状にしないと、押し出し成形で形成することができず、外観に変化を持たせるためには縦格子材全体を鋳物成形やダイキャスト成形をしなければならなく、型や成形にコストがかかって高価になるという問題がある。
【０００５】
本発明は上記の点に鑑みてなされたものであり、外観に変化を持たせながら安価に製造できる縦格子材を提供することを課題とするものである。
【０００６】
【課題を解決するための手段】
上記課題を解決するための本発明の縦格子材Ａは、上下の端部材１と上下の端部材１間の中間部材２とで構成し、端部材１を複数に分岐した形状にして分岐部の先端に差し込み接続部３を設け、中間部材２を複数本の真っ直ぐなパイプ材２ａとして上下の端部材１間に配置すると共に上下の端部材１の各差し込み接続部３をパイプ材２ａに差し込み接続して成ることを特徴とする。上記のように構成することにより全長に亙って同一の断面形状のパイプ状に形成される縦格子材に比べて外観に変化を持たせて豪華な外観にできる。またアルミニウムのような金属にて形成する場合でも、端部材１を鋳物成形やダイキャスト成形しておけば、中間部材２は押し出し成形で形成でき、鋳物成形やダイキャスト成形した端部材１と押し出し成形した中間部材２と接続して縦格子材Ａを組み立てることができ、全体を鋳物成形やダイキャスト成形するものに比べて安価に製造できる。
【０００７】
また端部材１を音叉状に形成して二股状に分岐した差し込み接続部３を設け、中間部材２を真っ直ぐな２本のパイプ材２ａとして成ることを特徴とすることも好ましい。上記のように構成することにより上下に細長いＯ字状の縦格子材Ａを形成でき、外観に変化のある縦格子材Ａを形成できる。
【０００８】
【発明の実施の形態】
縦格子材Ａは図１に示すように上下の端部材１とこの端部材１間の中間部材２とで構成されている。端部材１は音叉状に形成されており、二股状に分岐した部分の端部が差し込み接続部３となっており、差し込み接続部３の反対の端部が横枠接続部４となっている。かかる端部材１はアルミニウムのような金属にて形成され、例えばダイキャスト成形で形成されている。中間部材２は真っ直ぐな角型のパイプ材２ａである。かかる中間部材２もアルミニウムのような金属にて形成され、押し出し成形で形成されている。本例の中間部材２としてのパイプ材２ａは他の用途と兼用するものであり、内部に全長に亙ってタッピングホール５を有している。
【０００９】
縦格子材Ａを組み立てる場合、上下に対称に端部材１を配置すると共に上下の端部材１間に中間部材２としての２本のパイプ材２ａを平行に配置し、上下の端部材１の差し込み接続部３をパイプ材２ａの上下の端部に差し込んで接続する。このように組み立てることで上下に細長いＯ字状の縦格子材Ａを形成できて外観に変化を持たせることができる。このとき端部材１がダイキャスト成形のような成形で製造する必要があるが、中間部材２としては押し出し成形したものを用いることができ、外観に変化のある縦格子材Ａを形成するにも拘わらず、安価に製造できる。
【００１０】
本例の場合、ベランダの手摺り壁を構成する手摺りパネルＢに上記縦格子材Ａを用いるものである。手摺りパネルＢの外周を構成する枠体は上下の横枠６と左右の縦枠７とを矩形状に配置し、横枠６の端部と縦枠７の端部とをビスのような固着具８にて締結して組み立てられている。この横枠６は断面略コ字状のチャンネル材に形成されており、縦枠７は断面略Ｌ字状のアングル材にて形成されている。左右の縦枠７のうち一方の縦枠７ａの端縁には差し込み係合部９を上下全長に亙って設けてあり、他方の縦枠７ｂの端縁には差し込み被係合部１０を上下全長に亙って設けてある。上下の横枠６間には上記のように構成せる縦格子材Ａが左右に複数並べられ、縦格子材Ａの横枠接続部４が横枠６に当接され、横枠６からビスのような固着具１７が横枠接続部４に打入されて上下の横枠６間に縦格子材Ａが取り付けられる。
【００１１】
ベランダの床の外周に沿って上記手摺りパネルＢが複数立設されるのであるが、隣接する手摺りパネルＢを接続する部分で床部の梁には角柱状の支柱１１が立設されている。手摺りパネルＢを立設したとき隣合う手摺りパネルＢの縦枠７ａ，７ｂにて支柱１１が挟まれるが、縦枠７ａの差し込み係合部９と縦枠７ｂの差し込み被係合部１０とを互いに上下にスライドさせて差し込み係合される。これにより隣合う手摺りパネルＢの縦枠７ａ，７ｂが連結されると共に支柱１１に縦枠７ａ，７ｂが支持される。隣合う手摺りパネルＢの上の横枠６の端部間に亙るように連結板１２が配置され、連結板１２の両端がビスのような固着具１３にて横枠６に締結され、また連結板１２の中央が支柱１１の上端にビスのような固着具１４にて締結されている。手摺りパネルＢの上の横枠６の上には上端全長を覆うように笠木１５が被嵌して装着されている。また手摺りパネルＢの下方には化粧カバー１６が取り付けられて仕舞われる。
【００１２】
上記のように手摺りパネルＢを用いて図２、図３に示すような手摺り壁が施工されるが、縦格子材Ａが上記のように上下に細長いＯ字状に形成されているために外観に変化のある豪華な手摺り壁が組み立てられる。上記例ではベランダの手摺り壁に縦格子材Ａを用いたものについて述べたが、屋外階段の手摺り壁でも、フェンスでも同様に実施できる。
【００１３】
【発明の効果】
本発明の請求項１の発明は、上下の端部材と上下の端部材間の中間部材とで構成し、端部材を複数に分岐した形状にして分岐部の先端に差し込み接続部を設け、中間部材を複数本の真っ直ぐなパイプ材として上下の端部材間に配置すると共に上下の端部材の各差し込み接続部をパイプ材に差し込み接続しているので、全長に亙って同一の断面形状のパイプ状に形成される縦格子材に比べて外観に変化を持たせて豪華な外観にできるものであり、しかもアルミニウムのような金属にて形成する場合でも、端部材を鋳物成形やダイキャスト成形しておけば、中間部材は押し出し成形で形成でき、鋳物成形やダイキャスト成形した端部材と押し出し成形した中間部材と接続して縦格子材を組み立てることができ、全体を鋳物成形やダイキャスト成形するものに比べて安価に製造できるものである。
【００１４】
また本発明の請求項２の発明は、請求項１において、端部材を音叉状に形成して二股状に分岐した差し込み接続部を設け、中間部材を真っ直ぐな２本のパイプ材としているので、上下に細長いＯ字状の縦格子材を形成でき、外観に変化のある縦格子材を形成できるものである。
【図面の簡単な説明】
【図１】本発明の実施の形態の一例の縦格子材を示し、（ａ）は正面図、（ｂ）は側面図、（ｃ）は（ａ）のＸ−Ｘ線断面図である。
【図２】同上の手摺り壁を組み立て状態の正面図である。
【図３】同上の手摺り壁を組み立てた状態の側面図である。
【図４】同上の手摺り壁を組み立てた状態の要部を示し、（ａ）は一部省略平面図、（ｂ）は一部切欠正面図、（ｃ）は側面から見た断面図である。
【符号の説明】
Ａ  縦格子材
１  端部材
２  中間部材
２ａ  パイプ材
３  差し込み接続部
【図１】
2004324363.tif 000003
【図２】
2004324363.tif 000004
【図３】
2004324363.tif 000005
【図４】
2004324363.tif 000006